(57)【要約】      （修正有）【課題】天幕部とテーブル部が一体で収納や運搬が容易な天幕付きの折畳みテーブルを提供する。【解決手段】左右のＸ型主脚が水平な上下四本の連結棒で繋がれ上部連結棒に固定された天幕を持つ天幕部と前記Ｘ型主脚の下部連結棒にＸ字型に交差する支柱に連結した連結支持板に固定された前後に二分割する天板を持つテーブル部と前記Ｘ型主脚の下部連結棒に連結した二つのフック板に固定された棚板を持つ棚部から構成された構造を持ち、テーブル部の支柱と棚部のフック板をＬ字型にしてＸ型主脚をつなぐ下部連結棒に連結することで、全体を扁平に折畳むことができ、天板自体と連結支持板、Ｌ型支柱によって開脚幅が固定される構造のテーブル部の作用と棚部のＬ型フック板でＸ型主脚の２本の下部連結棒の差し渡すことにより、天幕付きＸ型主脚の開脚幅を固定することができる。【選択図】図１
0003122528.tif 000002
【実用新案登録請求の範囲】
【請求項１】
左右のＸ型主脚が水平な上下四本の連結棒で繋がれ上側の連結棒に固定された天幕を持つ天幕部と前記Ｘ型主脚の下側の連結棒にＸ字型に交差するＬ型支柱に連結した連結支持板に固定された前後に二分割する天板を持つテーブル部と前記Ｘ型主脚の下側の連結棒に連結した左右のＬ型フック板に固定された棚板を持つ棚部から構成されて全体を前後に扁平に折畳めることを特徴とする天幕付き折畳みテーブル。
【請求項２】
請求項１の天幕付き折畳みテーブルのＸ型主脚を長さ調節が可能な調節ネジ等を持つ円柱状のパイプ構造にし、主脚自体が上下に伸縮することで、更にコンパクトに折畳みが可能となること特徴とする天幕付き折畳みテーブル。
【考案の詳細な説明】
【技術分野】
【０００１】
本考案は、折畳み可能な天幕付きのテーブルに関するものである。
【背景技術】
【０００２】
従来、屋外やイベント会場等での出展や販売、飲食等では、テント内にテーブル等を設置する方法やテーブルや机にパラソル等を固定する方法が一般的であるが、何れも設営や設置に手間がかかり、テーブルや机等とテントやパラソル等をそれぞれ別々に収納、運搬しなければならない問題点があった。
また、屋台は一般的に組み立て式の構造であるが、組み立てや分解の手間がかかり、移動や運搬するのも大変であった
【０００３】
この改善策として、前後に折畳めるテーブル部に開脚式のＸ型主脚を持つ天幕部を連結することによって、設置、移動、運搬が容易な折畳み可能な天幕付きテーブルになる。
【考案の開示】
【考案が解決しようとする課題】
【０００４】
本考案が解決しようとする問題点は、前後開閉式のＸ型主脚を持つ天幕部と前後折畳み式のテーブル部を折畳みに支障がないように連動させることである。
また、前記テーブル部自体が天幕部のＸ型主脚の開脚幅を固定化することである。
【課題を解決するための手段】
【０００５】
本考案は、従来の問題点を解決するべく発案したものであって、設置が容易で折畳んで収納、運搬が可能な天幕付きのテーブルを提供することを目的とする。
その要旨は、左右のＸ型主脚が水平な上下四本の連結棒で繋がれ上部連結棒に固定された天幕を持つ天幕部と前記Ｘ型主脚の下部連結棒にＸ字型に交差するＬ型支柱に連結した連結支持板に固定された前後に二分割する天板を持つテーブル部と前記Ｘ型主脚の下部連結棒に連結した二つのＬ型フック板に固定された棚板を持つ棚部から構成されて全体を前後に扁平に折畳めることを特徴とする。
【考案の効果】
【０００６】
天幕付きのＸ型主脚に、天板が前後に分割してＸ字型に交差する支柱を持つ折畳みテーブル部を連結させるために、Ｘ字型に交差する支柱をＬ字型にして、前記Ｘ型主脚をつなぐ下部連結棒にＬ型支柱を連結することで、テーブル部自体の折畳みに支障を与えることなく折畳みが可能になる。
また、天板自体と連結支持板、Ｌ型支柱の作用によって開脚幅が固定化されるテーブル部を天幕付きのＸ型主脚に連結することで、Ｘ型主脚自体の開脚幅も固定化されることになる。
更に、テーブル部の下に、二つのＬ型フック板に固定した棚板を持つ棚部でＸ型主脚の２本の下部連結棒を差し渡すことで、Ｘ型主脚をより安定した開脚幅で固定化する効果を得ることができるのである。
【考案を実施するための最良の形態】
【０００７】
天幕付きＸ型主脚の下部連結棒に連結するテーブル部のＸ字型に交差する支柱と棚部のフック板をＬ字型にすることによって、折畳みの際にＬ型支柱と連結支持板、天板、Ｌ型フック板、棚板を支障なく扁平に折畳むことができる。
また、開脚幅が固定化されるテーブル部とＬ型フック板を持つ棚部で、天幕部のＸ型主脚の２本の下部連結棒を差し渡すことで、Ｘ型主脚の開脚幅をより強固に固定化することができる。
【実施例１】
【０００８】
図１は、展開状態を示した斜視構成図であり、この展開状態から先ず、棚部のＬ型フック板１３のフック部１３ａをＸ型主脚２に固定された下部連結棒４ａから外して上方向に持ち上げ、次にテーブル部の２枚の天板６，６の端を上側に向かって持ち上げながら、Ｘ型主脚２を主脚固定ボルトナット５を軸に中心方向に閉じると、テーブル部のＬ型支柱８，８が連動して閉じて図２の状態に推移する。
【０００９】
図２は、折畳み途中の状態を示した斜視構成図であり、この状態から下部連結棒４ｂが通っている棚部のＬ型フック板１３の連結棒通し穴１３ｂを軸に垂直になるまで回転させ、連結支持版７，７に固定された天板６，６を今度は連結ボルトナット１０を軸に下側に垂直になるまで閉じながら、Ｘ型主脚２を主脚ボルトナット５を軸に矢印で示すように中心方向に閉じるとＬ型支柱８，８が支柱接続ボルトナット１１を軸に閉じることで図３の斜視構成図で示す折畳状態に推移する。
【実施例２】
【００１０】
逆に、天幕付き折畳みテーブルを図３の折畳状態から図２の途中の状態を経て図１の展開状態にする場合には、前記の手順の逆で行えばよい。
【実施例３】
【００１１】
図４は、開脚幅固定作用の力のかかる方向を矢印で示した部分断面図であり、天幕付き折畳みテーブルが展開状態の時、２枚の天板６，６はお互いの接触面に向かう水平方向の力と下側への垂直方向の力がかかることになる。
水平方向の力は２枚の天板６，６でお互い釣り合うことになり、垂直方向の力は他方の天板６の下にくる部分の連結支持板７を経てＬ型支柱８にかかるが、支柱ボルトナット１１で固定されているので互いに天板６にかかる垂直方向の力を相殺してＬ型支柱８，８の開脚幅を抑制し固定化するのである。
【００１２】
前記の作用により、Ｌ型支柱８，８の連結棒通し穴８ａ，８ｂを通っている下部連結棒４ａ，４ｄに作用して、連結棒で繋がっているＸ型主脚２の開脚幅をも抑制して固定化することになるのである
また、上部連結棒３ａ，３ｂに固定されている天幕１もＸ型主脚２の開脚幅を固定化することになるのである
【００１３】
更に、下部連結棒４ｂが通っている棚部のＬ型フック板１３，１３の連結棒通し穴１３ｂ，１３ｂとフック部１３ａ，１３ａを下部連結棒４ａに引っ掛けることで、２本の下部連結棒４ａ，４ｂを差し渡すことによりＸ型主脚２，２の開脚幅はより完全に固定化されることになるが、万が一Ｌ型フック板１３，１３のフック部１３ａ，１３ａが下部連結棒４ａから外れても、前記で示したでテーブル部の開脚幅固定作用によりＸ型主脚２の開脚幅は維持されるので安全性も確保できるのである。
【実施例４】
【００１４】
天幕付き折畳みテーブルの折畳状態を保持するには、Ｘ型主脚２，２に市販の金属製パッチンを取り付けたり、バンドで固定する方法があり、移動中や収納時に天幕付き折畳みテーブルが自然に開いてしまうのを防ぐことができる。
【実施例５】
【００１５】
前記の天幕付き折畳みテーブルを更にコンパクトに折畳むことが可能な発展型の天幕付き折畳みテーブルの一例として、図５の展開状態と折畳状態を示す側面図で説明する。
【００１６】
図５の左図の展開状態と右図の折畳状態を示す側面図のように、Ｘ型主脚をパイプにして主脚長調節ネジ１４を組み合わせた構造にすることにより、主脚自体がカメラの三脚のように伸縮することになり、上下方向にも縮小することで、更にコンパクトに折畳むことが可能となる。
【産業上の利用可能性】
【００１７】
本考案の天幕付き折畳みテーブルは、移動式販売台や簡易屋台、イベントや展示会用のテーブル台、オープンカフェ等の飲食用やアウトドアでのテーブル等としての多用途の利用が可能である。
【図面の簡単な説明】
【００１８】
【図１】展開状態を示した斜視構成図である。
【図２】折畳み途中の状態を示した斜視構成図である。
【図３】折畳状態を示した斜視構成図である。
【図４】開脚幅固定作用の力のかかる方向を矢印で示した部分断面図である。
【図５】展開状態と折畳状態を示す側面図である。
【符号の説明】
【００１９】
１  天幕
２  Ｘ型主脚
３ａ，３ｂ  上部連結棒
４ａ，４ｂ  下部連結棒
５  主脚接続ボルトナット
６  天板
７  連結支持板
８  Ｌ型支柱
８ａ，８ｂ  連結棒通し穴
９  スペーサー
１０  連結ボルトナット
１１  支柱接続ボルトナット
１２  棚板
１３  Ｌ型フック板
１３ａ  フック部
１３ｂ  連結棒通し穴
１４  主脚長調節ネジ
【図１】
0003122528.tif 000003
【図２】
0003122528.tif 000004
【図３】
0003122528.tif 000005
【図４】
0003122528.tif 000006
【図５】
0003122528.tif 000007